(57)【特許請求の範囲】
【請求項１】
通信する信号の信号周波数を電源高調波雑音の周波数と直交関係になる値に設定すると共に、信号の１変調周期を信号周波数の１周期に設定し、１変調周期となる１フレームから所定数の信号サンプルを抽出して変復調し、信号通信を行うことを特徴とする通信装置。
【請求項２】
前記信号は、電力線によって供給される交流電源に重畳されて電力線搬送されることを特徴とする請求項１に記載の通信装置。
【発明の詳細な説明】
【技術分野】
【０００１】
本発明は、信号間の直交性を利用して信号通信する通信装置に関するものである。
【背景技術】
【０００２】
従来、この種の通信装置としては、直交する複数の搬送波を変調して多重化する直交周波数分割多重（Orthogonal Frequency Division Multiplexing:ＯＦＤＭ）によって信号通信する、例えば、特許文献１に開示された通信システムがある。この通信システムでは、柱上変圧器と分電盤との間の屋内に信号付加装置が設けられている。この信号付加装置内にはＯＦＤＭ変調部が備えられており、このＯＦＤＭ変調部により、情報を暗号化／復号化するための暗号情報がＯＦＤＭ変調され、電力を供給する電源信号に電源付加信号として付加される。この電源付加信号は電力線搬送通信によって家屋内の電力線を伝搬し、家屋内の各部屋に設けられた第１電子機器および第２電子機器に受信される。第１電子機器は、受信した電源付加信号に含まれる暗号情報をＯＦＤＭ復調し、復調した暗号情報に基づいて所定の情報を暗号化し、第２電子機器へ送信する。第２電子機器は、第１電子機器から送信された所定の情報を受信すると共に、受信した電源付加信号に含まれる暗号情報をＯＦＤＭ復調し、復調した暗号情報に基づいて所定の情報を復号化する。
【先行技術文献】
【特許文献】
【０００３】
【特許文献１】特開２００８−１２４８５９号公報
【発明の概要】
【発明が解決しようとする課題】
【０００４】
しかしながら、上記従来のような電力線搬送通信を用いた通信システムにおいては、特に電波法の規制対象外となる１０ｋＨｚ以下の周波数帯を使用する場合に、電源高調波雑音の影響を無視することができない。ここで、電源高調波雑音とは、商用電源周波数（５０Ｈｚまたは６０Ｈｚ）の整数倍の周波数を持つ雑音成分をいい、例えば、商用電源５０Ｈｚに対し、１００，１５０，２００，２５０Ｈｚ，…などの周波数を持つ雑音成分をいう。通常この周波数帯を用いた電力線搬送通信では、アナログフィルタ回路による帯域制限、および、デジタル信号処理理論に基づいたフィルタリング処理を行うことで、電源高調波雑音の除去が行われている。
【０００５】
しかし、高性能なアナログフィルタを実現するためには高精度の部品が必要であり、また部品点数も増加するため、コストアップにつながるという問題がある。また、信号周波数に近い周波数帯の電源高調波雑音を十分に取り除くような急峻なフィルタを構成するのは、極めて難しい。
【０００６】
また、デジタルフィルタ処理では、例えば電源周波数に同期したサンプリングを行うことにより、一定間隔の周波数成分を大きく減衰させる特性を持つコムフィルタ（Comb filter：櫛形フィルタ）処理を用いて、電源高調波雑音を取り除くことができる。同様に、ＦＩＲフィルタ（Finite Impulse Response filter：有限インパルス応答フィルタ）や、ＩＩＲフィルタ（Infinite Impulse Response filter：無限インパルス応答フィルタ）などの一般的なデジタルフィルタ処理を用いても、電源高調波雑音を取り除くことができる。しかし、これらの技術は有用であるが、バッファメモリを多く必要とするため、やはりコストアップの要因となる。また、上記のデジタルフィルタ処理はサンプリング毎に必要となるため、高速演算処理が要求される場合が多い。
【課題を解決するための手段】
【０００７】
本発明はこのような課題を解決するためになされたもので、通信する信号の信号周波数を電源高調波雑音の周波数と直交関係になる値に設定すると共に、信号の１変調周期を信号周波数の１周期に設定し、１変調周期となる１フレームから所定数の信号サンプルを抽出して変復調し、信号通信を行うことを特徴とする。
【０００８】
本構成によれば、通信する信号の信号周波数と電源高調波雑音の周波数とが直交関係に設定されて、信号通信が行われる。ここで、直交関係に設定されるとは、ベクトルが直角に交わり、乗算して１周期分積分したときに０になる関係に設定されることをいう。直交関係にあるベクトルが合成されて作られたベクトルは、簡単に元の２つのベクトルに戻すことが出来る。このため、通信する信号を電源高調波雑音から容易に分離して取り出すことができ、電源高調波雑音を極めて精度良く除去して復調することが可能となる。
【０００９】
この結果、従来の高性能なアナログフィルタを用いることなく電源高調波雑音が除去されるため、高精度の部品が不要となり、また部品点数も減少するため、コストダウンにつながる。また、構成するのが極めて難しい急峻なフィルタを作る必要もなくなる。
【００１０】
また、従来のデジタルフィルタ処理を行うことなく電源高調波雑音が除去されるため、処理に必要なバッファメモリが少なくて済む。また、信号周波数を電源高調波雑音周波数間の値に設定し、信号の１変調周期を信号周波数の１周期に設定することにより、信号の復調は長いこの１変調周期の間に行えばよいので低速で演算処理を行える。また、信号のサンプリングを行う際に所定数の信号サンプルを１フレームとして取り扱い、演算処理を行うことで、信号周波数の分解能で周波数成分検出が可能となる。このため、高速演算処理を必要としなくなって、安価な構成で通信が行えるようになる。
【００１１】
また、本発明は、信号が、電力線によって供給される交流電源に重畳されて電力線搬送されることを特徴とする。
【００１２】
本構成によれば、信号通信が電力線を介して行われ、電源高調波雑音の影響を受けない電力線搬送通信を安価な構成で行うことが可能になる。
【発明の効果】
【００１３】
本発明によれば、上記のように、従来のフィルタリング処理を行うことなく電源高調波雑音が除去されるため、電源高調波雑音の影響を受けない通信が安価な構成で行える通信装置が提供される。
【図面の簡単な説明】
【００１４】
【図１】（ａ）は、本発明の一実施形態による通信装置のＯＦＤＭ変調器、（ｂ）は、ＯＦＤＭ復調器の構成を示すブロック図である。
【図２】本発明の一実施形態による通信装置で設定される信号周波数と電源高調波雑音周波数との関係を示すグラフである。
【図３】本発明の一実施形態における信号の１フレーム中のサンプル数を概念的に説明するための図である。
【図４】本発明の一実施形態による通信装置に用いられるサブキャリアの電力スペクトルを示すグラフである。
【図５】本発明の一実施形態による通信装置により復調された１つのサブキャリアの電力スペクトルの一例を示すグラフである。
【発明を実施するための形態】
【００１５】
次に、本発明の一実施の形態による通信装置について説明する。
【００１６】
図１（ａ）は、本実施形態による通信装置のＯＦＤＭ変調器、同図（ｂ）は、この通信装置のＯＦＤＭ復調器の構成を示すブロック図である。
【００１７】
同図（ａ）に示すＯＦＤＭ変調器では、送信シンボル系列ｄ０，ｄ１，…，ｄｎは、直並列変換器１によって直並列変換され、ＩＤＦＴ（Inverse Discrete Fourier Transform）変換器２によって逆離散フーリエ変換されて、ＯＦＤＭシンボルの標本値に変換される。
【００１８】
この際、標本化周期は、送信信号を搬送するサブキャリアの周波数が電源高調波雑音周波数間の値となるように設定され、送信信号の１変調周期が送信信号周波数の１周期に設定される。例えば、電力線によって供給される交流電源の商用周波数が５０Ｈｚである場合には、図２のグラフに示すように、電源高調波雑音Ｎの周波数は、５０Ｈｚの商用周波数ｆ０の整数倍になる。なお、同グラフにおいて、横軸は周波数（Ｈｚ）、縦軸は信号レベルを表す。このため、送信信号を搬送するサブキャリアの周波数ｆＳを、５０Ｈｚの整数倍になる電源高調波雑音周波数間の値、例えば、２５Ｈｚおよびその奇数倍になる値に設定する。このようにキャリア周波数ｆＳを設定し、図３に示すように、灰色で塗られた送信信号Ｓの１変調周期となる１フレームを、このキャリア周波数ｆＳの１周期である４０（＝１／２５）ｍｓｅｃに設定する。なお、同図において、横軸は時間を表し、符号Ｎは雑音を示す。サブキャリア変調はこの１フレームをＭサンプルして行われる。つまり、信号のサンプリングを行う際に、２５Ｈｚの１周期に相当する４０ｍｓｅｃ間にＭサンプルを抽出して、このＭサンプルを１フレームとして取り扱う。
【００１９】
図１（ａ）に示すＩＤＦＴ変換器２によって逆離散フーリエ変換されて得られた標本値は、並直列変換器３によって並直列変換された後、連続信号に変換されてＤ−Ａ変換器４によってデジタル信号からアナログ信号に変換される。アナログ信号に変換された連続信号は、ＬＰＦ（低域通過フィルタ）５に通されて、乗算器６によって搬送波が掛け合わされた後、ＢＰＦ（帯域通過フィルタ）７に通されて、伝送路となる電力線に送信される。
【００２０】
このようなＯＦＤＭ変調器によって変調されたＯＦＤＭ信号の１送信シンボルを搬送するサブキャリアは、その電力スペクトルが図４（ａ）のグラフに示される。サブキャリアの電力スペクトルは、同グラフに示すように、周波数は広がるものの、その強さが０になっているところがある。このような０になるところに、同図（ｂ）に示すように、点線で表す他のサブキャリアの周波数を設定することで、各サブキャリアは相互に直交関係に設定される。なお、図４に示す各グラフの横軸は周波数、縦軸は信号レベルを表す。また、本実施形態では、サブキャリアの周波数が電源高調波雑音周波数間の値となるように設定されているため、各サブキャリアは電源高調波雑音との間でも直交関係に設定される。このように直交関係に設定されることで、各サブキャリアは、他のサブキャリア、および電源高調波雑音との間で、相互に影響を受けることなく、電力線を伝搬する。
【００２１】
ＯＦＤＭ変調器から送信された信号は電力線搬送通信（ＰＬＣ）によって電力線を伝搬し、図１（ｂ）に示すＯＦＤＭ復調器に受信される。
【００２２】
ＯＦＤＭ復調器では、受信信号がＢＰＦ１１に通された後、乗算器１２によって再生搬送波に掛け合わされる。さらに、受信信号はＬＰＦ１３に通され、Ａ−Ｄ変換器１４によってアナログ信号からデジタル信号に変換されて、直並列変換器１５によって直並列変換される。直並列変換された受信信号は、ＤＦＴ（Discrete Fourier Transform）変換器１６によって離散フーリエ変換されて復調され、並直列変換器１７によって並直列変換されて元の送信シンボルとなる。
【００２３】
図５は、送信信号を９７５Ｈｚの中心周波数を持つサブキャリアで搬送し、ＤＦＴ演算処理により検出した１つのサブキャリアの電力スペクトルを示すグラフである。なお、同グラフの横軸は周波数Ｆｎｍ、縦軸は信号レベルＤｍを表す。同グラフに示すように、信号は、２５Ｈｚの奇数倍の９７５Ｈｚを中心とする周波数にあり、５０Ｈｚの整数倍となる電源高調波雑音周波数において信号成分は０となり、信号と電源高調波雑音とが直交していることが理解される。すなわち、信号のサンプリングを行う際にＭサンプルを１フレームとして取り扱い、ＤＦＴ演算処理を行うことで、分解能２５Ｈｚの周波数成分検出が可能となる。
【００２４】
このような本実施形態による通信装置によれば、通信する信号の信号周波数（サブキャリア周波数）が、電源高調波雑音の周波数と異なる２５Ｈｚおよびその奇数倍に設定され、なおかつ、ＤＦＴ演算処理の周波数分解能の範囲内に設定されて、つまり、５０Ｈｚの整数倍である電源高調波雑音の周波数と通信する信号の信号周波数とが直交関係に設定されて、信号通信が行われる。このため、デジタル信号処理により、通信する信号を電源高調波雑音から容易に分離して取り出すことができ、電源高調波雑音を極めて精度良く除去して復調することが可能となる。
【００２５】
この結果、従来の高性能なアナログフィルタを用いることなく電源高調波雑音が除去されるため、高精度の部品が不要となり、また部品点数も減少するため、通信装置のコストダウンにつながる。また、構成するのが極めて難しい急峻なフィルタを作る必要もなくなる。また、従来のデジタルフィルタ処理を行うことなく電源高調波雑音が除去されるため、処理に必要なバッファメモリが少なくて済む。
【００２６】
また、信号周波数を電源高調波雑音周波数間の値の例えば２５Ｈｚおよびその奇数倍に設定し、信号の１変調周期を信号周波数の１周期の例えば４０ｍｓｅｃに設定することにより、信号の復調は長いこの１変調周期の間に行えばよいので低速で演算処理を行える。このため、従来のデジタルフィルタ処理におけるサンプリング毎の高速演算処理を必要としなくなって、安価な構成で通信が行えるようになる。
【００２７】
また、本実施形態による通信装置では、信号が、電力線によって需要家に供給される交流電源に重畳されて電力線搬送される。このため、電源高調波雑音の影響を受けない電力線搬送通信を安価な構成で行うことが可能になる。
【産業上の利用可能性】
【００２８】
上記実施形態では、ＯＦＤＭ変調器により、信号を複数のサブキャリアで搬送するマルチキャリア伝送した場合について説明したが、本発明はこれに限定されるものでない。すなわち、マルチキャリア伝送することなく、１つのキャリアで信号伝送する場合にも、本発明は適用可能であり、通信する信号の信号周波数と電源高調波雑音の周波数とが直交関係に設定されて、信号通信が行われればよい。
【００２９】
また、上記実施形態では、通信装置が電力線搬送通信方式を用いて信号通信を行う場合について説明したが、本発明はこれに限定されるものでない。例えば、他の通信方式を用いた信号検出における高調波雑音除去にも用いることが可能である。
【符号の説明】
【００３０】
１、１５…直並列変換器
２…ＩＤＦＴ（Inverse Discrete Fourier Transform）変換器
３、１７…並直列変換器
４…Ｄ−Ａ変換器
５、１３…ＬＰＦ（低域通過フィルタ）
６、１２…乗算器
７、１１…ＢＰＦ（帯域通過フィルタ）
１４…Ａ−Ｄ変換器
１６…ＤＦＴ（Discrete Fourier Transform）変換器
【図１】
0005637885.tif 000002
【図２】
0005637885.tif 000003
【図３】
0005637885.tif 000004
【図４】
0005637885.tif 000005
【図５】
0005637885.tif 000006